(57)【要約】  被装填物(３００)と台紙付きシュリンクフィルム包装体(２００)を装填方向に沿って直列に並べる。挿入ガイド体(１２０)は、シュリンクフィルム(２２０)の内径よりも小さな外径を持つヘッド部(１２１)と内部から外表面に向けてエアーを噴き出すエアー噴き出し口(１２２)を備えている。装填準備手段においてスライダー装置(１３０)のスライド運動により挿入ガイド体(１２０)が台紙付きシュリンクフィルム包装体(２００)のシュリンクフィルム(２２０)内に挿入されて行き、エアーによりシュリンクフィルム(２２０)を膨らませ、装填手段において被装填物(３００)を膨らんでいるシュリンクフィルム(２２０)内に装填して行き、被装填物(３００)を所定位置まで装填手段により牽引または押し込む。
2019098160.tif 000002
【特許請求の範囲】
【請求項１】
被装填物の外径より大きな内径のシュリンクフィルムが設けられた台紙付きシュリンクフィルム包装体に前記被装填物を装填する台紙付きシュリンクフィルム包装体への自動装填装置であって、  前記台紙付きシュリンクフィルム包装体に対して前記被装填物を装填方向に沿って直列に並ぶよう配置する載置装置と、  前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、  前記台紙付きシュリンクフィルム包装体に対して前記挿入ガイド体を前記装填方向の逆側に直列に並べ、前記挿入ガイド体と前記台紙付きシュリンクフィルム包装体のいずれかまたは双方をスライド運動させるスライダー装置と、  前記挿入ガイド体が前記エアーを噴き出しつつ、前記挿入ガイド体を前記シュリンクフィルム内に挿入してゆき、前記シュリンクフィルムを膨らませつつ前記被装填物に対向させる装填準備手段と、  前記挿入ガイド体が前記エアーを噴き出しつつ、前記挿入ガイド体および前記被装填物、または、前記台紙付きシュリンクフィルム包装体のいずれかを他方に対して相対的移動させ、前記被装填物が前記シュリンクフィルム内の所定位置に来るまで牽引または押し込む装填手段を備えた台紙付きシュリンクフィルム包装体への自動装填装置。
【請求項２】
前記装填手段の前記相対的移動が、前記台紙付きシュリンクフィルム包装体を固定して、前記挿入ガイド体と前記被装填物を前記装填方向に沿って移動させるものであることを特徴とする請求項１に記載の台紙付きシュリンクフィルム包装体への自動装填装置。
【請求項３】
前記装填手段の前記相対的移動が、前記挿入ガイド体と前記被装填物を固定して、前記台紙付きシュリンクフィルム包装体を前記装填方向とは逆に移動させるものであることを特徴とする請求項１に記載の台紙付きシュリンクフィルム包装体への自動装填装置。
【請求項４】
前記挿入ガイド体が、前記ヘッド部の先端に設けられ前記被装填物を吸着できる被装填物吸着部を備え、  前記装填準備手段において、先端の前記被装填物吸着部が前記シュリンクフィルム内を抜け出て、対向する前記被装填物に当接して前記被装填物を吸着し、  前記装填手段において、前記被装填物吸着部が前記被装填物を吸着して一体化したまま前記相対的移動が行われることを特徴とする請求項１から３のいずれかに記載の台紙付きシュリンクフィルム包装体への自動装填装置。
【請求項５】
前記被装填物吸着部がエアー吸引機構を備え、  前記装填手段において、前記被装填物が前記シュリンクフィルム内の所定位置に来るまでは前記エアー吸引機構が稼働して前記被装填物を吸着し、前記所定位置に来たら前記エアー吸引機構が停止して前記被装填物を解放するよう制御されることを特徴とする請求項４に記載の台紙付きシュリンクフィルム包装体への自動装填装置。
【請求項６】
前記被装填物を前記装填方向に沿って前記シュリンクフィルム内に押し込む押し出し手段を備え、  前記装填手段において、前記挿入ガイドは前記スライダー装置により移動し、前記被装填物は前記押し出し手段により移動し、両者が同期した動きであり、前記押し出し手段により前記被装填物を前記シュリンクフィルム内の前記所定位置に来るまで押し出すことを特徴とする請求項２に記載の台紙付きシュリンクフィルム包装体への自動装填装置。
【請求項７】
前記載置装置において前記装填方向に直列に並んだ前記被装填物と前記台紙付きシュリンクフィルム包装体の間隔が、前記挿入ガイド体の前記ヘッド部の前記装填方向の長さよりも短いことを特徴とする請求項１から６のいずれかに記載の台紙付きシュリンクフィルム包装体への自動装填装置。
【請求項８】
前記挿入ガイド体の先端が、先端に向けて先細りした形状であることを特徴とする請求項１から７のいずれかに記載の台紙付きシュリンクフィルム包装体への自動装填装置。
【請求項９】
前記台紙付きシュリンクフィルム包装体の前記シュリンクフィルムに対してアクセスできる昇降機構を備え、前記台紙付きシュリンクフィルム包装体の前記シュリンクフィルムの開口が開くよう開口上面をエアー吸引しつつ上方に支持するシュリンクフィルム吸着部を備え、  前記シュリンクフィルム吸着部が、前記装填準備手段に先立ち、前記昇降機構によりエアー吸着口を前記シュリンクフィルムの開口にアクセスさせて前記開口上面をエアー吸引したのち上方に移動し、前記挿入ガイド体の先端が挿入できる程度に前記シュリンクフィルムの開口が開くよう支持し、  前記装填準備手段において、前記挿入ガイド体が前記シュリンクフィルムの開口内に入ると前記シュリンクフィルム吸着部の前記エアー吸引を停止させて前記シュリンクフィルムを解放することを特徴とする請求項１から８のいずれかに記載の台紙付きシュリンクフィルム包装体への自動装填装置。
【請求項１０】
被装填物の外径より大きな内径のシュリンクフィルムが設けられた台紙付きシュリンクフィルム包装体に対して前記被装填物を装填する台紙付きシュリンクフィルム包装体への自動装填方法であって、  前記被装填物と前記台紙付きシュリンクフィルム包装体を、前記被装填物の前記台紙付きシュリンクフィルム包装体への装填方向に沿って直列に並ぶよう配置し、  前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、前記挿入ガイド体を前記台紙付きシュリンクフィルム包装体に対して前記装填方向の逆側に並べ、前記挿入ガイド体と前記台紙付きシュリンクフィルム包装体のいずれかまたは双方をスライド運動させるスライダー装置を用いて、  前記挿入ガイド体が前記エアーを噴き出しつつ、前記挿入ガイド体を前記シュリンクフィルム内に挿入してゆき、前記シュリンクフィルムを膨らませつつ前記被装填物に対向させ、  前記挿入ガイド体が前記エアーを噴き出しつつ、前記挿入ガイド体および前記被装填物と、前記台紙付きシュリンクフィルム包装体のいずれかを他方に対して相対的移動させ、前記被装填物が前記シュリンクフィルム内の所定位置に来るまで牽引または押し込むことを特徴とする台紙付きシュリンクフィルム包装体への自動装填方法。
【請求項１１】
前記相対的移動が、前記台紙付きシュリンクフィルム包装体を固定して、前記挿入ガイド体と前記被装填物を前記装填方向に沿って移動させるものであることを特徴とする請求項１０に記載の台紙付きシュリンクフィルム包装体への自動装填方法。
【請求項１２】
前記相対的移動が、前記挿入ガイド体と前記被装填物を固定して、前記台紙付きシュリンクフィルム包装体を前記装填方向とは逆に移動させるものであることを特徴とする請求項１１に記載の台紙付きシュリンクフィルム包装体への自動装填方法。
【発明の詳細な説明】
【技術分野】
【０００１】  本発明は、販売商品を吊下状態で店頭陳列する台紙付きのシュリンク包装体に対して販売商品を自動的に装填する台紙付きシュリンクフィルム包装体の自動装填装置、および、台紙付きのシュリンク包装体に対して販売商品を自動的に装填する台紙付きシュリンクフィルム包装体への被装填物の装填方法に関する。
【背景技術】
【０００２】  商品は個装されて店舗の什器に陳列されるが、同じ用途、同じ機能を提供する多種多様な商品が販売されており、それらが近隣に並べられる。製造販売を行う各メーカーや商社にとって、少しでも顧客の目に止まりやすいようパッケージに工夫を施している。その工夫の一つに吊り下げ展示方法がある。吊り下げ展示法は台紙付きシュリンクフィルム包装体を用いた展示方法であり、化粧品類や文房具類等の各種の家庭用の小物の製品を見せながら収容して店頭等に陳列できるようにする包装形態として普及しつつある。  台紙付きシュリンクフィルム包装体は、フックに吊り下げられる孔を有する厚紙などの台紙と、台紙の表面に配置されて容器を包装する一方向へ長い筒状のシュリンクフィルムとから形成されている。陳列棚において前面にあるフックに吊下されるので、商品が正対した状態で台紙から飛び出るように支持されているのでアイキャッチに優れた陳列方法を採ることができる。【０００３】  ここで問題となるのは、台紙付きシュリンクフィルム包装体への被装填物の装填方法である。  従来技術における第３の台紙付きシュリンクフィルム包装体への被装填物の装填方法として、特開２０１２−１８８１２７号公報（特許文献１）に開示された技術が知られている。  図２２は、特開２０１２−１８８１２７号公報（特許文献１）に開示された台紙付きシュリンクフィルム包装体への被装填物の装填方法である。図２２（ａ）のように、カード（台紙１）に粘着剤（接着剤３）を塗布して、熱収縮性チューブ（筒状のシュリンクフィルム２）を接着させ、台紙付きシュリンクフィルム包装体を製造する。この台紙付きシュリンクフィルム包装体に対して、図２２（ｂ）に示すように、被装填物７を収納し、その後、熱収縮性チューブ（筒状のシュリンクフィルム２）を熱収縮させて、図２２（ｃ）に示すように、被装填物７を筒状のシュリンクフィルムによりカード（台紙１）に支持するものである。  図２２（ｃ）に示すように、筒状のシュリンクフィルムの筒をつぶすように折り、折られた筒状のシュリンクフィルムの表側の幅方向中央部に上端開口部から下端開口部の方向に向いた折癖を設けられている。折癖を設けることで、筒状のシュリンクフィルムに被装填物を挿入するときに、シュリンクフィルムの下端開口部の開口が容易で、簡単に被装填物を挿入することができるものとなっている。【０００４】  次に、従来技術における第２の台紙付きシュリンクフィルム包装体への被装填物の装填方法として、特開２０１５−１０１４０６号公報（特許文献２）に開示された技術が知られている。  図２３は、特開２０１５−１０１４０６号公報（特許文献２）に開示された台紙付きシュリンクフィルム包装体を示す図である。  特許文献２に開示された台紙付きシュリンクフィルム包装体は、３台紙の表面に接着部を介して接着されたフィルム４により製品２２を固定したものである。台紙３には上下方向に延びる曲げ誘導部６が設けられており、台紙３が曲げ誘導部６の位置にて表面側又は裏面側に曲げられているものである。その製造方法は、上下方向に延びる曲げ誘導部６が設けられた台紙３の表面に接着部５を介して筒状のシュリンクフィルム４を接着し、その後、筒状のシュリンクフィルムの内部に製品２２を挿入し、その後、筒状のシュリンクフィルム４を加熱収縮させることにより、曲げ誘導部６の位置にて台紙３を表面側に曲げて、収縮された筒状シュリンクフィルム４と台紙３と製品２２とを一体に固定する方法にて包装する。【０００５】
【特許文献１】特開２０１２−１８８１２７号公報
【特許文献２】特開２０１５−１０１４０６号公報
【発明の開示】
【発明が解決しようとする課題】
【０００６】  上記したように、台紙付きシュリンクフィルム包装体を用いた吊り下げ展示方法は、優れた商品の展示方法であり、包装形態として普及しつつある。  しかし、従来技術において、台紙付きシュリンクフィルム包装体への被装填物の装填方法では解決すべき課題があった。【０００７】  第１の課題は、台紙付きシュリンクフィルム包装体に対して、被装填物を装填することが物理的に困難であり、装填作業を自動化した自動装填機による機械装填の品質が不十分であることである。シュリンクフィルムにはたわみや歪みがあるため、被装填物の外径に対して、多少大きめのマージンを持たせた内径を備えたシュリンクフィルムを使用せざるを得なかった。  また、熱収縮前のシュリンクフィルムは柔らかく変形容易な薄手のフィルムであるので、例えば、略円柱体の被装填物であれば、シュリンクフィルムを略円筒形に維持しておいて被装填物を装填しなければならない。シュリンクフィルムの一部の縁に引っかかったり衝突したりするだけでシュリンクフィルムが折れ曲がったり破れたりするおそれがあり、装填状態が不良品となってしまう。【０００８】  第２の課題は、熱収縮後のシュリンクフィルムの状態が綺麗でなく、シワやヨレが生じてしまうおそれがあり得ることである。  上記したように、従来技術では、被装填物の外径に対して、多少大きめのマージンを持たせた内径を備えたシュリンクフィルムを使用せざるを得なかったため、シュリンクフィルムに熱を印可した場合の収縮率が大きくなってしまい、どうしても余ったフィルム材が筋状に固まり、シワやヨレとして被装填物の表面を包むフィルムに残ってしまう。このシワやヨレが大きくなると、台紙付きシュリンクフィルム包装体を用いた吊り下げ展示において見栄えを阻害してしまう場合もあり得る。【０００９】  上記課題に鑑み、本発明は、被装填物の外径に対してわずかなマージンのみの内径を備えたシュリンクフィルムが取り付けられた台紙付きシュリンクフィルム包装体に対して、折れや曲がりが生じることなく正確に、当該被装填物を自動装填できる台紙付きシュリンクフィルム包装体への自動装填装置を提供することを目的とする。
【課題を解決するための手段】
【００１０】  上記課題を解決するために、本発明は以下の構成を備える。なお、以下に記載の構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。【００１１】  本発明にかかる台紙付きシュリンクフィルム包装体への自動装填装置は、被装填物の外径より大きな内径のシュリンクフィルムが設けられた台紙付きシュリンクフィルム包装体に前記被装填物を装填する台紙付きシュリンクフィルム包装体への自動装填装置であって、前記被装填物と前記台紙付きシュリンクフィルム包装体を、前記被装填物の前記台紙付きシュリンクフィルム包装体への装填方向に沿って直列に並ぶよう配置する載置装置と、前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、前記挿入ガイド体を前記台紙付きシュリンクフィルム包装体に対して前記装填方向の逆側に並べ、前記挿入ガイド体と前記台紙付きシュリンクフィルム包装体のいずれかまたは双方をスライド運動させるスライダー装置と、前記挿入ガイド体が前記エアーを噴き出しつつ、前記挿入ガイド体を前記シュリンクフィルム内に挿入してゆき、前記シュリンクフィルムを膨らませつつ前記被装填物に対向させる装填準備手段と、前記挿入ガイド体が前記エアーを噴き出しつつ、前記挿入ガイド体および前記被装填物と、前記台紙付きシュリンクフィルム包装体のいずれかを他方に対して相対的移動させ、前記被装填物が前記シュリンクフィルム内の所定位置に来るまで牽引または押し込む装填手段を備えたものである。【００１２】  上記構成において、上記した装填手段の相対的移動としては、台紙付きシュリンクフィルム包装体を固定して、挿入ガイド体と被装填物を装填方向に沿って移動させるものがある。  また、上記した装填手段の相対的移動としては、挿入ガイド体と被装填物を固定して、台紙付きシュリンクフィルム包装体を装填方向とは逆に移動させるものがある。【００１３】  上記構成により、挿入ガイド体の少なくとも一部がシュリンクフィルム内に入れば、エアー噴き出し口またはエアー噴き出し溝から噴き出されるエアーが、シュリンクフィルムと挿入ガイド体との隙間に流れ、あたかも挿入ガイド体の外表面にエアーの衣をまとったような状態となり、気圧によってシュリンクフィルムが略円筒形にピンと張った状態になり、被装填物を容易に引き入れることができる。  折れ曲がったりヨレが生じたりしやすい開口端においても、内部からエアーが外方へ噴き出すのでシュリンクフィルムの開口端までしっかりと略円筒形にピンと張った状態になる。特に、被装填物が挿入ガイド体に牽引または押し出されて開口端に近づくと、シュリンクフィルムの開口端から溢れ出るエアーが流れ出る箇所がシュリンクフィルムと被装填物との隙間しかなくなるため、より一層、シュリンクフィルムの開口端までしっかりと略円筒形にピンと張った状態になる。【００１４】  次に、上記構成において、挿入ガイド体が、ヘッド部の先端に設けられ被装填物を吸着できる被装填物吸着部を備え、上記した装填準備手段において、先端の被装填物吸着部がシュリンクフィルム内を抜け出て、対向する被装填物に当接して被装填物を吸着しておき、上記した装填手段において、被装填物吸着部が被装填物を吸着して一体化したまま相対的移動が行われる構成とすることができる。  さらに、被装填物吸着部がエアー吸引機構を備えたものであることが好ましい。エアー吸引機構であれば、エアー吸引のオンオフにより、非装着物の吸引、解放が自在にでき、装填手段において、被装填物がシュリンクフィルム内の所定位置に来るまではエアー吸引機構が稼働して被装填物を吸着し、所定位置に来たらエアー吸引機構が停止して被装填物を解放するよう制御することが容易にできる。【００１５】  上記構成の装填準備手段において、挿入ガイド体がシュリンクフィルム内に挿入されてゆき、挿入ガイド体の先端がシュリンクフィルムの先端から抜け出て被装填物に到達した状態において、挿入ガイド体の少なくとも一部がシュリンクフィルムの内部に残っている必要がある。そこで、載置装置において装填方向に直列に並んだ被装填物と台紙付きシュリンクフィルム包装体の間隔が、挿入ガイド体のヘッド部の装填方向の長さよりも短いものとすることができる。  上記構成により、挿入ガイド体の先端がシュリンクフィルムの先端から抜け出て被装填物に到達しても、挿入ガイド体がシュリンクフィルム内から抜け出ずに少なくとも挿入ガイド体の一部がシュリンクフィルム内に残っているので、シュリンクフィルムがヨレたり折れたりすることがないので、挿入ガイド体がシュリンクフィルム内で引っかかることなくスムーズに戻ってゆくことができる。【００１６】  次に、装填手段の別構成として、被装填物を装填方向に沿ってシュリンクフィルム内に押し込む押し出し手段を備え、装填手段において、挿入ガイドはスライダー装置により移動し、被装填物は押し出し手段により移動し、両者が同期した動きであり、押し出し手段により被装填物をシュリンクフィルム内の所定位置に来るまで押し出す構成とすることができる。  上記構成により、装填準備手段において、シュリンクフィルムの内部に挿入された挿入ガイド体がシュリンクフィルムを膨らませておき、装填手段において挿入ガイド体の動きに同期して押し出し手段である装填手段が被装填物を押し込んでゆくことができる。【００１７】  次に、挿入ガイド体の外径と被装填物の外径について述べる。  挿入ガイド体のヘッド部の外径は、シュリンクフィルムの内径よりも小さいものであれば良い。例えば、シュリンクフィルムの内径より数ミリ程度小さなものでも良いし、それよりさらに小さなものでも良い。ヘッド部の内部から外表面に向けて噴き出すエアーの圧力によるが、噴き出すエアーの気圧によりシュリンクフィルムが膨らむものであれば、挿入ガイド体のヘッド部の外径がシュリンクフィルムの内径よりも小さくても良い。  また、挿入ガイド体は先端に向けて先細りした形状であることが好ましい。  挿入ガイド体がこのような形状であれば、装填準備手段の挿入ガイド体のスライド運動において、挿入ガ���ド体の先端からシュリンクフィルム内に装填しやすくなる。  挿入ガイド体が被装填物吸着手段を備えた構造であれば、被装填物吸着手段の外径はシュリンクフィルムの内径よりも小さくし、さらに、ヘッド部の胴体部分の外径よりも小さい方が好ましい。【００１８】  次に、上記構成において、台紙付きシュリンクフィルム包装体のシュリンクフィルムに対してアクセスできる昇降機構を備え、台紙付きシュリンクフィルム包装体のシュリンクフィルムの開口が開くよう開口上面をエアー吸引しつつ上方に支持するシュリンクフィルム吸着部を備え、シュリンクフィルム吸着部が、装填準備手段に先立ち、昇降機構によりエアー吸着口をシュリンクフィルムの開口にアクセスさせて開口上面をエアー吸引したのち上方に移動し、挿入ガイド体の先端が挿入できる程度にシュリンクフィルムの開口が開くよう支持することができる。  このように、シュリンクフィルム吸着部によりシュリンクフィルムの開口が開くよう支持すれば、装填準備手段の挿入ガイド体のスライド運動において、挿入ガイド体がシュリンクフィルム内に挿入しやすくなる。  なお、装填準備手段において、挿入ガイド体がシュリンクフィルムの開口内に入るとシュリンクフィルム吸着部のエアー吸引を停止させてシュリンクフィルムを解放すれば、挿入ガイド体の被装填物の牽引または押し込みの邪魔にならない。【００１９】  次に、台紙付きシュリンクフィルム包装体に対して、被装填物を自動的に装填する台紙付きシュリンクフィルム包装体の自動装填方法は、被装填物の外径より大きな内径のシュリンクフィルムが設けられた台紙付きシュリンクフィルム包装体に対して前記被装填物を装填する台紙付きシュリンクフィルム包装体への自動装填方法であり、シュリンクフィルムの内径よりも小さな外径のヘッド部と、ヘッド部の内部から外表面に向けてエアーを噴き出すエアー噴き出し口またはエアー噴き出し溝を少なくとも１つ備えた挿入ガイド体と、当該挿入ガイド体を台紙付きシュリンクフィルム包装体に対して装填方向に沿ってスライド運動させるスライダー装置を用いて行う。【００２０】  以下の手順で自動装填を行う。  まず、被装填物と台紙付きシュリンクフィルム包装体を、被装填物の台紙付きシュリンクフィルム包装体への装填方向に沿って直列に並ぶよう配置する。【００２１】  次に、装填準備段階として、挿入ガイド体を装填方向に沿ってスライドさせ、挿入ガイド体がエアーを噴き出しつつ、挿入ガイド体を前記シュリンクフィルム内に挿入してゆき、シュリンクフィルムを膨らませつつ被装填物に対向させる。【００２２】  次に、装填段階として、挿入ガイド体がエアーを噴き出しつつ、挿入ガイド体および被装填物と、台紙付きシュリンクフィルム包装体のいずれかを他方に対して相対的移動させ、被装填物がシュリンクフィルム内の所定位置に来るまで牽引または押し込む。  なお、上記方法において、装填段階の相対的移動としては、台紙付きシュリンクフィルム包装体を固定して挿入ガイド体と前記被装填物を装填方向に沿って移動させるものである。  また、装填段階の相対的移動としては、挿入ガイド体と被装填物を固定して、台紙付きシュリンクフィルム包装体を装填方向とは逆に移動させるものがある。
【発明の効果】
【００２３】  本発明によれば、台紙付きシュリンクフィルム包装体への自動装填装置を用いることにより、挿入ガイド体のエアー噴き出し口から噴き出されるエアーが、あたかも挿入ガイド体の側面の外表面にエアーの衣をまとったような状態となり、挿入ガイド体の少なくとも一部がシュリンクフィルム内に入れば、気圧によってシュリンクフィルムを略円筒形にピンと張った状態になり、被装填物を容易に引き入れることができる。  折れ曲がったりヨレが生じたりしやすい開口端においても、エアーが噴き出すのでシュリンクフィルムの開口端までしっかりと略円筒形にピンと張った状態になる。特に、被装填物が挿入ガイド体に牽引されて開口端に近づくと、シュリンクフィルムの開口端から溢れ出るエアーが流れ出る箇所がシュリンクフィルムと被装填物との隙間しかなくなるため、より一層、シュリンクフィルムの開口端までしっかりと略円筒形にピンと張った状態を維持できる。  ここで、挿入ガイド体、台紙付きシュリンクフィルム包装体、被装填物を相対的に移動してゆけば、被装填物を台紙付きシュリンクフィルム包装体に容易に装填することができる。
【図面の簡単な説明】
【００２４】
【図１】実施例１にかかる台紙付きシュリンクフィルム包装体への自動装填装置１００の構成例を示す図である。
【図２】挿入ガイド体１２０のエアー噴き出し口１２２から空気が供給される様子を示す図である。
【図３】本発明の台紙付きシュリンクフィルム包装体への自動装填装置１００の動作の流れを示す図（その１）である。
【図４】本発明の台紙付きシュリンクフィルム包装体への自動装填装置１００の動作の流れを示す図（その２）である。
【図５】本発明の台紙付きシュリンクフィルム包装体への自動装填装置１００の動作の流れを示す図（その３）である。
【図６】本発明の台紙付きシュリンクフィルム包装体への自動装填装置１００の動作の流れを示す図（その４）である。
【図７】本発明の台紙付きシュリンクフィルム包装体への自動装填装置１００の動作の流れを示す図（その５）である。
【図８】本発明の台紙付きシュリンクフィルム包装体への自動装填装置１００の動作の流れを示す図（その６）である。
【図９】本発明の台紙付きシュリンクフィルム包装体への自動装填装置１００の動作の流れを示す図（その７）である。
【図１０】本発明の台紙付きシュリンクフィルム包装体への自動装填装置１００の動作の流れを示す図（その８）である。
【図１１】本発明の台紙付きシュリンクフィルム包装体への自動装填装置１００の動作の流れを示す図（その９）である。
【図１２】シュリンクフィルム２２０の終端開口付近に発生するシュリンクフィルム２２０の膨らみ効果を詳しく説明する図（その１）である。
【図１３】シュリンクフィルム２２０の終端開口付近に発生するシュリンクフィルム２２０の膨らみ効果を詳しく説明する図（その２）である。
【図１４】実施例２にかかる台紙付きシュリンクフィルム包装体への自動装填装置１００ａの構成例を示す図である。
【図１５】実施例２にかかる自動装填装置１００の動作の流れを示す図（その１）である。
【図１６】実施例２にかかる自動装填装置１００の動作の流れを示す図（その２）である。
【図１７】実施例２にかかる自動装填装置１００の動作の流れを示す図（その３）である。
【図１８】実施例３にかかる台紙付きシュリンクフィルム包装体への自動装填装置１００ｂの構成例を示す図である。
【図１９】実施例３にかかる自動装填装置１００の動作の流れを示す図（その１）である。
【図２０】実施例３にかかる自動装填装置１００の動作の流れを示す図（その２）である。
【図２１】実施例３にかかる自動装填装置１００の動作の流れを示す図（その３）である。
【図２２】従来技術における特開２０１２−１８８１２７号公報（特許文献１）に開示された台紙付きシュリンクフィルム包装体への被装填物の装填方法を示す図である。
【図２３】従来技術における特開２０１５−１０１４０６号公報（特許文献２）に開示された台紙付きシュリンクフィルム包装体を示す図である。
【発明を実施するための最良の形態】
【００２５】  以下、図面を参照しつつ、本発明にかかる台紙付きシュリンクフィルム包装体への自動装填装置を説明する。ただし、本発明の範囲は以下の実施例に示したものに限定されるものではないことは言うまでもない。  以下、実施例１として、本発明にかかる台紙付きシュリンクフィルム包装体への自動装填装置において、挿入ガイド体のヘッド部の先端に被装填物吸着部が設けられており、装填手段の相対的移動において、台紙付きシュリンクフィルム包装体を固定しておいて、挿入ガイド体が被装填物吸着部で被装填物を吸引したまま被装填物を台紙付きシュリンクフィルム包装体内に牽引するタイプのものを説明する。  実施例２として、本発明にかかる台紙付きシュリンクフィルム包装体への自動装填装置において、被装填物を装填方向に沿って押し込む押し出し手段が設けられており、装填手段の相対的移動において、台紙付きシュリンクフィルム包装体を固定しておいて、挿入ガイドはスライダー装置により移動し、被装填物は押し出し手段により移動し、両者が同期した動きであり、押し出し手段により被装填物をシュリンクフィルム内の前記所定位置に来るまで押し出すタイプを説明する。  実施例３として、本発明にかかる台紙付きシュリンクフィルム包装体への自動装填装置において、装填手段の相対的移動において、挿入ガイド体と被装填物を固定しておいて、台紙付きシュリンクフィルム包装体を装填方向とは逆に移動させて被装填物をシュリンクフィルム内の前記所定位置に来るまで装填するタイプのものを説明する。
【実施例１】
【００２６】  実施例１として、本発明にかかる台紙付きシュリンクフィルム包装体への自動装填装置において、装填手段の相対的移動は、台紙付きシュリンクフィルム包装体を固定して、挿入ガイド体と被装填物を装填方向に沿って移動させるものを説明する。なお、挿入ガイド体のヘッド部の先端に被装填物吸着部が設けられており、装填手段において、被装填物が被装填物吸着部を介して挿入ガイド体に従動して移動するものとなっている。【００２７】  実施例１にかかる台紙付きシュリンクフィルム包装体への自動装填装置１００について説明する。  図１は、実施例１にかかる台紙付きシュリンクフィルム包装体への自動装填装置１００の構成例を示す図である。図１に示すように、実施例１の本発明の台紙付きシュリンクフィルム包装体への自動装填装置１００は、載置装置１１０と、挿入ガイド体１２０、スライダー装置１３０、シュリンクフィルム吸着部１４０を備えた構成となっている。  併せて、台紙付きシュリンクフィルム包装体２００、被装填物３００が図示されている。  台紙付きシュリンクフィルム包装体２００は、台紙２１０、台紙２１０に取り付けられたシュリンクフィルム２２０を備えた構造となっている。本発明の台紙付きシュリンクフィルム包装体への自動装填装置１００の前提条件の１つは、このシュリンクフィルム２２０の内径が装填対象の被装填物３００の外径よりもやや大きいことである。シュリンクフィルム２２０の内径が被装填物３００の外径以下であれば物理的に挿入できないし、シュリンクフィルム２２０の内径が被装填物３００よりも大きすぎれば被装填物３００の挿入自体はできてもその後の熱収縮処理において、シュリンクフィルム２２０が被装填物３００の表面に綺麗に被覆できないからである。  この例では被装填物３００は略円柱体の形状を持つものとする。【００２８】  以下、台紙付きシュリンクフィルム包装体への自動装填装置１００の各要素について説明する。  載置装置１１０は、被装填物３００と台紙付きシュリンクフィルム包装体２００を、被装填物３００の台紙付きシュリンクフィルム包装体２００への装填方向に沿って直列に並べて配置する装置である。被装填物３００と台紙付きシュリンクフィルム包装体２００を直列に並ぶよう配置できれば良い。載置装置１１０において被装填物３００を載置する部分と台紙付きシュリンクフィルム包装体２００を載置する部分は一体のものでも良く、別体のものでも良い。  例えば、被装填物３００をベルトコンベアなどの搬送系により順々に搬送し、台紙付きシュリンクフィルム包装体２００もストッカーから次々と繰り出してベルトコンベアなどに載置して移動するものであり、両者が載置装置１１０の所定位置に到達した場合に、図１に示すように、被装填物３００と台紙付きシュリンクフィルム包装体２００がそれぞれ、被装填物３００の台紙付きシュリンクフィルム包装体２００への装填方向に沿って直列に並べて配置するものでも良い。【００２９】  ここで、載置装置１１０における被装填物３００と台紙付きシュリンクフィルム包装体２００の配置の間隔について説明する。載置装置１１０における被装填物３００と台紙付きシュリンクフィルム包装体２００の間隔は、挿入ガイド体１���０のヘッド部１２１の装填方向における長さよりも狭い間隔とする。本発明の台紙付きシュリンクフィルム包装体への自動装填装置１００は、後述するように、被装填物３００をシュリンクフィルム２２０内に引き込んで挿入する前に挿入ガイド体１２０を先に一度シュリンクフィルム２２０に通しておいてシュリンクフィルム２２０を内側からピンと張った状態を作り出してから、そのピンと張った状態のシュリンクフィルム２２０内に被装填物３００を引き込んで挿入する。そのため、挿入ガイド体１２０の先端が被装填物３００に接触した状態において、少なくとも挿入ガイド体１２０のヘッド１２１の後端がシュリンクフィルム２２０内にとどまったままで抜け出ないという条件を満たすことが好ましい。  この点は図８を参照しつつ後述する。【００３０】  次に、挿入ガイド体１２０を説明する。  挿入ガイド体１２０は、ヘッド部１２１と、エアー噴き出し口１２２、被装填物吸着部１２３、空気圧ポンプ接続部１２４、負圧ポンプ接続部１２５を備えた構成となっている。【００３１】  ヘッド部１２１は、筒状の外形を備えており、その外径ｒは被装填物３００の外径Ｒと略等しいかまたはわずかに小さい外径を持つものとなっている。つまり、ヘッド部１２１を台紙付きシュリンクフィルム包装体２００のシュリンクフィルム２２０内に先に挿入しておけば、シュリンクフィルム２２０を略円筒形に膨らませ、被装填物３００が挿入されやすいようにできる。【００３２】  エアー噴き出し口１２２は、ヘッド部１２１の内部から外表面に向けてエアーを噴き出すエアー噴き出し口であり、ヘッド部１２１の側面に少なくとも１つ設けられている。エアー噴き出し口１２２には空気圧が適度に印加されて内部からエアーが噴き出す仕組みである。なお、エアー噴き出し口１２２は溝状のもの（エアー噴き出し溝）でも良い。この構成例ではエアー噴き出し口１２２として説明する。  この構成例では、エアー噴き出し口１２２には、エアー送風用の空気圧を与える空気圧ポンプ（図示せず）との接続口である空気圧ポンプ接続部１２４を介して空気が噴き出す仕組みとなっている。【００３３】  空気圧ポンプ接続部１２４は、所定の空気圧を印加して送風する空気圧ポンプ（図示せず）との接続口であり、エアー噴き出し口１２２に対して空気を送風するものである。なお、空気圧ポンプ接続部１２４からエアー噴き出し口１２２までの空気の供給路であるヘッド部１２１の内部構造は図示していないが、空気圧ポンプ接続部１２４からエアー噴き出し口１２２まで到達する閉鎖空間があれば良い。【００３４】  図２は、挿入ガイド体１２０のエアー噴き出し口１２２から空気が供給される様子を示す図である。図２（ｂ）に示すように、ヘッド部１２１がシュリンクフィルム２２０内に挿入されている状態にあれば、エアー噴き出し口１２２から空気を噴き出すことにより周辺のシュリンクフィルムが空気圧により膨らみピンと張った状態が奏される。なお、シュリンクフィルム２２０の大きさ、被装填物３００の大きさなどに応じてエアー噴き出し口１２２から噴き出す空気量や空気射出速度を調整しても良い。【００３５】  次に、被装填物吸着部１２３について説明する。  被装填物吸着部１２３は、ヘ��ド部１２１の先端に備えられた被装填物３００の吸着機構であり、被装填物３００に接触することで吸着することができるものである。被装填物吸着部１２３には負圧ポンプ接続部１２５によりエアー吸引用の負圧が与えられており、また先端が吸盤状の部材を備えており、被装填物３００をしっかりと吸引できる構造となっている。  実施例１においては、この被装填物吸着部１２３が、装填手段における挿入ガイド体１２０のスライド移動において、被装填物３００を装填方向に沿ってスライドさせる装填手段となっている。被装填物吸着部１２３で被装填物３００を吸引したまま挿入ガイド体１２０のスライド移動で牽引することにより被装填物３００を装填方向に沿ってスライドさせる。【００３６】  被装填物吸着部１２３の外径は、挿入ガイド体のヘッド部１２１の外径よりも小さく、シュリンクフィルム２２０の内径よりも小さいことが好ましい。被装填物吸着部１２３の外径は、挿入ガイド体のヘッド部１２１の外径よりも小さくなれば、図１に示すように、挿入ガイド体１２０が先端に向けて先細りした形状となる。このように挿入ガイド体１２０が先端に向けて先細りした形状であれば、先端部分である被装填物吸着部１２３がシュリンクフィルム２２０の内部に挿入しやすくなり、その後ヘッド１２１までスムーズに挿入しやすくなる。【００３７】  被装填物吸着部１２３はエアー吸引用の負圧が負圧ポンプ接続部１２５を介して与えられている。  負圧ポンプ接続部１２５は、所定の負圧である空気圧を印加してエアーを吸引する空気圧ポンプ（図示せず）との接続口であり、被装填物吸着部１２３から空気を吸引するものである。なお、負圧ポンプ接続部１２５から被装填物吸着部１２３までの空気の吸引路であるヘッド部１２１の内部構造は図示していないが、負圧ポンプ接続部１２５から被装填物吸着部１２３まで到達する閉鎖空間があれば良い。  負圧ポンプ接続部１２５との連通部分の開け閉めの制御により被装填物吸着部１２３への負圧の印加、負圧の停止を制御することができ、その結果、被装填物吸着部１２３におけるエアー吸引ＯＮ，ＯＦＦを切り替えることができる。【００３８】  次に、スライダー装置１３０を説明する。  スライダー装置１３０は、挿入ガイド体１２０と台紙付きシュリンクフィルム包装体のいずれかまたは双方をスライド運動させる装置である。スライド運動は、挿入ガイド体１２０と台紙付きシュリンクフィルム包装体を相対移動させるものであれば良く、挿入ガイド体１２０でも台紙付きシュリンクフィルム包装体でもどちらが移動しても良いが、ここでは、挿入ガイド体１２０がスライド移動するものとして説明する。  スライダー装置１３０により、挿入ガイド体１２０の後端（図中左側）から挿入ガイド体１２０を押し出し、挿入ガイド体１２０をその先端から台紙付きシュリンクフィルム包装体２００のシュリンクフィルム２２０内に挿入されてゆき、さらにその先にある被装填部３００に到達するまでスライド移動する。この動きは、台紙付きシュリンクフィルム包装体２００側がスライドして挿入ガイド体１２０をその先端から受け入れても同じ結果が得られる。  この動作が後述する装填準備手段において実行される。  なお、本実施例１では、装填準備手段の終了時において、被装填物吸着部１２３が被装填部３００に接触しており、吸引された状態となる。【００３９】  この例では、装填手段は、挿入ガイド体１２０の後端から挿入ガイド体１２０を引き戻すスライド移動であり、負圧ポンプ接続部１２５を介した被装填物吸着部１２３へ負圧が印加されたままとし、被装填物吸着部１２３が被装填部３００を吸引したままシュリンクフィルム２２０内をスライド移動する。つまり、実施例１では、装填手段における被装填物吸着部１２３を備えた挿入ガイド体１２０のスライド移動が、被装填部３００をシュリンクフィルム２２０内でスライド移動させるものとなっている。  被装填物３００がシュリンクフィルム内の所定位置に到達すれば、負圧ポンプ接続部１２５を介した被装填物吸着部１２３へ負圧が除去され、被装填物３００の吸引を停止すれば被装填物３００は解放されてその位置に留置される。この動作が後述する装填手段の相対的移動の一つとして実行される。  挿入ガイド体１２０はさらに初期設定位置までスライド移動する。なお、被装填物３００がシュリンクフィルム内の所定位置に到達した時点でスライダー装置１３０が一時停止し、確実に被装填物３００が所定位置に留置されるように制御し、その後、スライダー装置１３０がスライド移動を再開し、初期状態にまで戻るという制御も可能である。【００４０】  次に、シュリンクフィルム吸着部１４０を説明する。  シュリンクフィルム吸着部１４０は先端にエアー吸着口を備え、エアー吸着口にまで負圧を供給する負圧供給機構（図示せず）を備え、シュリンクフィルム吸着部１４０のエアー吸着口におけるエアー吸引力のＯＮ，ＯＦＦが制御できるものとなっている。【００４１】  シュリンクフィルム吸着部１４０は、図１に示すように、載置装置１１０の上方でちょうどシュリンクフィルム２２０の開口付近やや下に位置している。シュリンクフィルム吸着部１４０は上下に昇降する昇降機構（図示せず）を備えており、スライダー装置１３０による挿入ガイド体１２０のスライド移動と連動し、装填準備手段に先立ち、シュリンクフィルム２２０の開口付近に向けて降下し、シュリンクフィルム２２０の開口付近に接触し、シュリンクフィルム２２０の開口付近吸引しつつ上昇して、シュリンクフィルム２２０の開口付近を大きく開口させ、挿入ガイド体１２０の先端にある被装填物吸着部１２３がシュリンクフィルム２２０の開口に挿入しやすくなる。【００４２】  後述する装填準備手段が始まり、挿入ガイド体１２０がシュリンクフィルム２２０の開口内に入るとシュリンクフィルム吸着部１４０は吸着口のエアー吸引を停止させてシュリンクフィルムを解放する。【００４３】  次に、実施例１にかかる本発明の台紙付きシュリンクフィルム包装体への自動装填装置１００の動作の流れについて説明する。図３〜図１１において、（ａ）が側面から示した図、（ｂ）が上面から示した図となっている。【００４４】  図３は、台紙付きシュリンクフィルム包装体への自動装填装置１００の動作のストロークの初期状態を示す図である。図１と同様の状態となっている。台紙付きシュリンクフィルム包装体２００、被装填物３００が載置装置１１０の上で所定位置に配置されている。図３（ｂ）に示すように、載置装置１１０により、台紙付きシュリンクフィルム包装体２００のシュリンクフィルム２２０と被装填物３００が装填方向に沿って直列に並べられている。図３（ａ）に示すように、台紙付きシュリンクフィルム包装体２００のシュリンクフィルム２２０と被装填物３００の間隔は挿入ガイド体１２０のヘッド部１２１の長さよりも狭い間隔となっている。【００４５】  まず、図４に示すように、装填準備手段の開始に先立ち、シュリンクフィルム吸着部１４０が昇降機構により台紙付きシュリンクフィルム包装体２００のシュリンクフィルム２２０の開口付近に向けて下降する。シュリンクフィルム吸着部１４０の先端の吸着口には負圧がかけられており、シュリンクフィルム２２０の開口付近に接触するとシュリンクフィルム２２０がしっかりと吸着される。【００４６】  次に、図５（ａ）に示すように、シュリンクフィルム吸着部１４０が昇降機構により挿入ガイド体１２０のヘッド部１２１の高さ（外径）付近にまで上昇する。シュリンクフィルム吸着部１４０は吸着口のエアー吸引は継続しており、シュリンクフィルム２２０の上側のみを引き上げ、台紙２１０および台紙２１０に接着されているシュリンクフィルム２２０の下側は下方に残る。そのため、シュリンクフィルム２２０の開口が拡がった状態となる。【００４７】  次に、装填準備手段が開始する。  装填準備手段は、挿入ガイド体がエアーを噴き出しつつ、挿入ガイド体をシュリンクフィルム内に挿入してゆき、シュリンクフィルムを膨らませつつ被装填物に対向させる手段である。  ここでは、図６に示すように、装填準備手段が開始すれば、スライダー装置１３０のスライド移動が開始され、挿入ガイド体１２０のヘッド部１２１が押し出されてゆき、その先端にある被装填物吸着部１２３がシュリンクフィルム２２０の開口から内部に侵入してゆく。挿入ガイド体１２０は先細りした形状となっているので、先端にある被装填物吸着部１２３がシュリンクフィルム２２０の開口から内部に入れば、後続のヘッド部１２１はスムーズに挿入されてゆく。【００４８】  次に、図７に示すように、スライダー装置１３０による挿入ガイド体１２０の押し出しが進んでゆくとヘッド部１２１がシュリンクフィルム２２０の開口から内部に挿入され、エアー噴き出し口１２２もシュリンクフィルム２２０の内部に位置するようになる。なお、エアー噴き出し口１２２に対しては空気圧ポンプ接続部１２４を介して空圧ポンプ（図示せず）から空圧が印加されてエアーが噴き出している。【００４９】  図７に示すように、エアー噴き出し口１２２もシュリンクフィルム２２０の内部に位置すると、図２（ｂ）に示したように、シュリンクフィルム２２０の内側の気圧が高くなり、シュリンクフィルム２２０がピンと張った状態に膨らんで形状が円筒形に維持される。挿入ガイド体１２０のヘッド部１２１の周囲とシュリンクフィルム２２０との間はエアーが流れ、シュリンクフィルム２２０がピンと張った状態に膨らみ、エアーの流れにより、エアーを挟んでヘッド部１２１とシュリンクフィルム２２０が接することなく、摩擦力も低減し、ヘッド部１２１がスムーズにシュリンクフィルム２２０内を進行してゆく。なお、こ���過程でシュリンクフィルム吸着部１４０の負圧が停止され、シュリンクフィルム２２０の吸着がなくなり、シュリンクフィルム２２０の上面がシュリンクフィルム吸着部１４０から解放される。シュリンクフィルム吸着部１４０は初期状態の高さまで上昇する。【００５０】  次に、図８に示すように、スライダー装置１３０による挿入ガイド体１２０の押し出しが進んでゆくとヘッド部１２１の先端がシュリンクフィルム２２０を通過し、先端の被装填物吸着部１２３が被装填物３００に到達する。  本実施例１では、この段階で装填準備手段の実行が完了する。  なお、本実施例１では、被装填物吸着部１２３には負圧ポンプ接続部１２５を介して空圧ポンプから負圧がかけられており、エアー吸引力が与えられているため、被装填物吸着部１２３が被装填物３００をしっかりと吸引する。【００５１】  次に、装填手段が開始する。  装填手段は、エアーを噴き出しつつ、挿入ガイド体および被装填物と、台紙付きシュリンクフィルム包装体のいずれかを他方に対して相対的移動させ、被装填物がシュリンクフィルム内の所定位置に来るまで牽引または押し込む手段である。  本実施例１では、上記した装填手段の相対的移動が、台紙付きシュリンクフィルム包装体側を固定して、挿入ガイド体と被装填物を装填方向に沿って移動させるものである。この構成例では、スライダー装置１３０がスライド移動を開始して、スライダー装置１３０が挿入ガイド体１２０の引き戻しを開始すれば、挿入ガイド体１２０の被装填物吸着部１２３による吸引が維持されているので、被装填物３００が挿入ガイド体１２０に追従するように移動を開始する。【００５２】  図９に示すように、被装填物３００の先端がシュリンクフィルム２２０の終端開口に接近する。さらにスライダー装置１３０が挿入ガイド体１２０をスライドさせてゆくと、被装填物３００の先端がシュリンクフィルム２２０の終端開口から引き込まれてゆく。【００５３】  ここで、シュリンクフィルム２２０の終端開口付近に発生する、シュリンクフィルム２２０の膨らみ効果について説明する。  図１２（ａ）→図１２（ｂ）→図１３（ａ）→図１３（ｂ）の流れは、シュリンクフィルム２２０の終端開口付近に発生するシュリンクフィルム２２０の膨らみ効果を詳しく説明する図である。【００５４】  図１２（ａ）は、まだ被装填物３００の先端がシュリンクフィルム２２０の終端開口に対して十分に接近しておらず、少し距離が残っている状態である。図１２（ａ）に示すように、挿入ガイド体１２０のヘッド部１２１のエアー噴き出し口１２２からエアーが噴き出ており、その周囲のシュリンクフィルム２２０はピンと張った状態であるが、シュリンクフィルム２２０の終端開口はちょうど先細りの形状部分が位置しており、ヘッド部１２１の側面付近の空気圧よりも急にギャップが広くなるため、終端開口の空気圧が下がる傾向にある。そのため、シュリンクフィルム２２０がミクロにはヨレたりする可能性がある。【００５５】  次に、図１２（ｂ）に示すように、スライダー装置１３０により被装填物３００の先端がシュリンクフィルム２２０の終端開口に近接すると、シュリンクフィルム２２０内から溢れ出るエアーの流出する面積が減り、その結果、シュリンクフィルム２２０の終端開口付近の空気圧が上昇し、シュリンクフィルム２２０の外周方向への圧力が上がり、シュリンクフィルム２２０が膨らんでピンと張った状態が確保される。この状態になれば、シュリンクフィルム２２０の終端開口の内径が被装填物３００の外径よりもわずかに大きいものとなっている。【００５６】  次に、図１３（ａ）から図１３（ｂ）に示すように、スライダー装置１３０により被装填物３００が進行してゆく。被装填物３００の先端がシュリンクフィルム２２０内に挿入されるとエアーがシュリンクフィルム２２０と被装填物３００の隙間を安定的に流れ、スムーズに被装填物の挿入ができる。【００５７】  次に、図１０に戻って説明を続ける。  図１０は、装填手段により被装填物３００がシュリンクフィルム２２０内においてスライド移動する図である。この例では、図１０に示すように、装填手段における挿入ガイド体１２０のスライド移動において、牽引された被装填物３００がシュリンクフィルム２２０内において所定位置に到達する。例えば、所定位置はシュリンクフィルム２２０の装填方向の中央付近とする。  この図１０の状態に到達すると、負圧ポンプ接続部１２５を介した負圧の印加を停止し、挿入ガイド体１２０の被装填物吸着部１２３による吸引を停止し、被装填物３００が解放され、シュリンクフィルム２２０の当該所定位置に留置される。  この段階で装填手段の実行が完了する。【００５８】  次に、図１１に示すように、装填手段におけるスライダー装置１３０による挿入ガイド体１２０のスライド移動が終了すれば、挿入ガイド体１２０が図３に示すスライドストロークの初期状態に戻る。  なお、この後、被装填物３００が所定位置に装填された台紙付きシュリンクフィルム包装体２００が載置装置１１０から除去され、図示しない搬送系の稼働により、次の台紙付きシュリンクフィルム包装体２００と被装填物３００が載置装置１１０に配置され、図３に示す台紙付きシュリンクフィルム包装体への自動装填装置１００の動作のストロークの初期状態に戻る。  次のストロークとして、図３から図１１の動きが繰り返される。
【実施例２】
【００５９】  実施例２として、本発明にかかる台紙付きシュリンクフィルム包装体への自動装填装置１００ａにおいて、被装填物を装填方向に沿ってシュリンクフィルム内に押し込む押し出し手段を備えたものであり、挿入ガイドはスライダー装置により移動し、被装填物は押し出し手段により移動し、両者が同期して、押し出し手段により被装填物をシュリンクフィルム内の所定位置に来るまで押し出すタイプを説明する。  なお、装填手段の相対的移動は、台紙付きシュリンクフィルム包装体を固定して、挿入ガイド体と前記被装填物を前記装填方向に沿って移動させるものとして説明する。【００６０】  図１４は、実施例２にかかる台紙付きシュリンクフィルム包装体への自動装填装置１００ａの構成例を示す図である。  図１４に示すように、実施例２の台紙付きシュリンクフィルム包装体への自動装填装置１００ａは、実施例１と同様、載置装置１１０と、挿入ガイド体１２０ａ、スライダー装置１３０、シュリンクフィルム吸着部１４０を備えた構成となっており、押し出し手段１５０を備えた構成となっている。併せて、台紙付きシュリンクフィルム包装体２００、被装填物３００が図示されている。【００６１】  以下、実施例１と同様の構成については説明を省略または簡略化する。  載置装置１１０、スライダー装置１３０、シュリンクフィルム吸着部１４０は、実施例１と同様の構成で良く、ここでは説明を省略する。  挿入ガイド体１２０ａは、ヘッド部１２１と、エアー噴き出し口１２２、空気圧ポンプ接続部１２４、負圧ポンプ接続部１２５を備えた構成となっている。実施例１にあった被装填物吸着部１２３は設けられていない。その代わりに押し出し手段１５０が被装填物３００の後方に設けられている。なお、挿入ガイド体１２０ａのヘッド部１２１、エアー噴き出し口１２２、空気圧ポンプ接続部１２４、負圧ポンプ接続部１２５は実施例１と同様で良く、ここでは説明を省略する。【００６２】  押し出し手段１５０は、被装填物を装填方向（図中右から左）に沿ってシュリンクフィルム２２０内に押し込む押し出し手段であり、実施例２では、被装填物を装填方向に沿ってスライドさせてシュリンクフィルム内の所定位置に来るまで押し込む装填手段として機能する。【００６３】  次に、実施例２にかかる本発明の台紙付きシュリンクフィルム包装体への自動装填装置１００ａの動作の流れについて説明する。図１５〜図１７において、（ａ）が側面から示した図、（ｂ）が上面から示した図となっている。【００６４】  台紙付きシュリンクフィルム包装体への自動装填装置１００の動作のストロークのうち装填準備手段までの流れを示す様子は、実施例１の図３から図８と同様であるので、ここでは、図示および説明を省略するものとする。なお、実施例１では、装填準備手段の最終状態は、被装填物吸着部１２３が被装填物３００に当接して吸引する状態であったが、実施例２では、被装填物吸着部１２３が設けられておらず、装填準備手段の最終段階で、挿入ガイド体１２０ａの先端は被装填物３００に当接しなくても良い。  図１５が実施例２における台紙付きシュリンクフィルム包装体への自動装填装置１００のストロークの装填準備手段の最終状態を示す図である。この図１��の状態で、挿入ガイド体１２０ａのエアー噴き出し口１２２からのエアーによりシュリンクフィルム２２０内の気圧が上昇してピンと張った状態となっている。【００６５】  図１６は、装填段階において、押し出し手段１５０により被装填物３００がシュリンクフィルム２２０内に押し込まれて装填される様子を示す図である。なお、挿入ガイド体１２０のエアー噴き出し口１２２からのエアーによりシュリンクフィルム２２０内の気圧が上昇してピンと張った状態となっており、その状態から挿入ガイド体１２０ａが図中左側にスライド移動してシュリンクフィルム２２０内から抜け出て行くが、この移動に同期して、挿入ガイド体１２０ａと入れ替わるように、押し出し手段１５０により被装填物３００がシュリンクフィルム２２０内に押し込まれて行く。  図１６に示すように、装填手段において、押し出し手段１５０により押し出された被装填物３００がシュリンクフィルム２２０内において所定位置に到達する。例えば、所定位置はシュリンクフィルム２２０の装填方向の中央付近とする。  これで装填手段の実行が完了する。【００６６】  図１７は、押し出し手段１５０が図中右側に引き戻された状態を示す図である。また、次のストロークに向けて、載置装置１１０により、新たな台紙付きシュリンクフィルム包装体２００、新たな被装填物３００が供給され、図１４の状態に戻る。  次のストロークとして、この図１５から図１７の動きが繰り返される。
【実施例３】
【００６７】  実施例３として、本発明にかかる台紙付きシュリンクフィルム包装体への自動装填装置において、装填手段の相対的移動において、挿入ガイド体と被装填物を固定しておいて、台紙付きシュリンクフィルム包装体を装填方向とは逆に移動させて被装填物をシュリンクフィルム内の前記所定位置に来るまで装填するタイプのものを説明する。【００６８】  図１８は、実施例３にかかる台紙付きシュリンクフィルム包装体への自動装填装置１００ｂの構成例を示す図である。  図１８に示すように、実施例３の台紙付きシュリンクフィルム包装体への自動装填装置１００ｂは、載置装置１１０と、挿入ガイド体１２０ａ、スライダー装置１３０、シュリンクフィルム吸着部１４０と、台紙付きシュリンクフィルム包装体スライダー装置１６０を備えた構成となっている。併せて、台紙付きシュリンクフィルム包装体２００、被装填物３００が図示されている。【００６９】  以下、実施例１と同様の構成については説明を省略または簡略化する。  載置装置１１０、スライダー装置１３０、シュリンクフィルム吸着部１４０は、実施例１と同様の構成で良く、ここでは説明を省略する。また、挿入ガイド体１２０ａは実施例２と同様で良く、ここでは説明を省略する。【００７０】  台紙付きシュリンクフィルム包装体スライダー装置１６０は、台紙付きシュリンクフィルム包装体を装填方向とは逆（図中左から右）に移動させる手段であり、実施例３では、台紙付きシュリンクフィルム包装体を、実施例１の装填方向とは逆方向に沿ってスライドさせて、被装填物がシュリンクフィルム内の所定位置に来るまでスライドさせる手段として機能する。【００７１】  次に、実施例３にかかる本発明の台紙付きシュリンクフィルム包装体への自動装填装置１００ｂの動作の流れについて説明する。図１９〜図２１において、（ａ）が側面から示した図、（ｂ）が上面から示した図となっている。【００７２】  台紙付きシュリンクフィルム包装体への自動装填装置１００の動作のストロークのうち装填準備手段までの流れを示す様子は、実施例１の図３から図８と同様であるので、ここでは、図示および説明を省略するものとする。なお、実施例１では、装填準備手段の最終状態は、被装填物吸着部１２３が被装填物３００に当接して吸引する状態であったが、実施例３では、被装填物吸着部１２３が設けられておらず、装填準備手段の最終段階で、挿入ガイド体１２０ａの先端は被装填物３００に当接しなくても良い。  図１９が実施例３における台紙付きシュリンクフィルム包装体への自動装填装置１００のストロークの装填準備手段の最終状態を示す図である。この図１９の状態で、挿入ガイド体１２０ａのエアー噴き出し口１２２からのエアーによりシュリンクフィルム２２０内の気圧が上昇してピンと張った状態となっている。【００７３】  図２０は、装填段階において、台紙付きシュリンクフィルム包装体スライダー装置１６０により台紙付きシュリンクフィルム包装体２００が図中左から右へスライドして被装填物３００を内部に受け入れるように移動して、被装填物３００が装填される様子を示す図である。なお、挿入ガイド体１２０ａのエアー噴き出し口１２２からのエアーによりシュリンクフィルム２２０���の気圧が上昇してピンと張った状態となっており、その状態から台紙付きシュリンクフィルム包装体スライダー装置１６０により台紙付きシュリンクフィルム包装体２００が図中右側にスライド移動する結果、挿入ガイド体１２０ａが左から抜け出て行くが、挿入ガイド体１２０ａと入れ替わるように、被装填物３００がシュリンクフィルム２２０内に受け入れられて行く。  図２０に示すように、装填手段において、台紙付きシュリンクフィルム包装体スライダー装置１６０により被装填物３００がシュリンクフィルム２２０内において所定位置に到達するまた台紙付きシュリンクフィルム包装体２００がスライドする。例えば、所定位置は被装填物３００がシュリンクフィルム２２０の中央付近とする。  これで装填手段の実行が完了する。【００７４】  図２１は、被装填物３００が装填された台紙付きシュリンクフィルム包装体２００が取り除かれ、次のストロークに向けて、挿入ガイド体１２０ａ、台紙付きシュリンクフィルム包装体スライダー装置１６０が所定位置に引き戻され、また、載置装置１１０により、新たな台紙付きシュリンクフィルム包装体２００、新たな被装填物３００が供給された様子を示す図である。図１８の状態に戻っている。  次のストロークとして、この図１８から図２１の動きが繰り返される。【００７５】  以上、本発明の台紙付きシュリンクフィルム包装体への自動装填装置１００の構成例における好ましい実施例を図示して説明してきたが、本発明の技術的範囲を逸脱することなく種々の変更が可能であることは理解されるであろう。
【産業上の利用可能性】
【００７６】  本発明の台紙付きシュリンクフィルム包装体への自動装填装置は、被装填物３００を台紙付きシュリンクフィルム包装体に装填する用途のものであれば、広く適用することができる。
【符号の説明】
【００７７】  １００  台紙付きシュリンクフィルム包装体への自動装填装置  １１０  載置装置  １２０  挿入ガイド体  １２１  ヘッド部  １２２  エアー噴き出し口  １２３  被装填物吸着部  １２４  空気圧ポンプ接続部  １２５  負圧ポンプ接続部  １３０  スライダー装置  １４０  シュリンクフィルム吸着部  １５０  押し込み手段  １６０  台紙付きシュリンクフィルム包装体スライダー装置  ２００  台紙付きシュリンクフィルム包装体  ２１０  台紙  ２２０  シュリンクフィルム  ３００  被装填物
【図１】
2019098160.tif 000003
【図２】
2019098160.tif 000004
【図３】
2019098160.tif 000005
【図４】
2019098160.tif 000006
【図５】
2019098160.tif 000007
【図６】
2019098160.tif 000008
【図７】
2019098160.tif 000009
【図８】
2019098160.tif 000010
【図９】
2019098160.tif 000011
【図１０】
2019098160.tif 000012
【図１１】
2019098160.tif 000013
【図１２】
2019098160.tif 000014
【図１３】
2019098160.tif 000015
【図１４】
2019098160.tif 000016
【図１５】
2019098160.tif 000017
【図１６】
2019098160.tif 000018
【図１７】
2019098160.tif 000019
【図１８】
2019098160.tif 000020
【図１９】
2019098160.tif 000021
【図２０】
2019098160.tif 000022
【図２１】
2019098160.tif 000023
【図２２】
2019098160.tif 000024
【図２３】
2019098160.tif 000025
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
被装填物の外径より大きな内径のシュリンクフィルムが設けられた台紙付きシュリンクフィルム包装体に前記被装填物を装填する台紙付きシュリンクフィルム包装体への自動装填装置であって、
前記台紙付きシュリンクフィルム包装体に対して前記被装填物を装填方向に沿って直列に並ぶよう配置する載置装置と、
前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、
前記台紙付きシュリンクフィルム包装体に対して前記挿入ガイド体を前記装填方向の逆側に直列に並べ、前記挿入ガイド体を前記台紙付きシュリンクフィルム包装体に対してスライド運動させるスライダー装置と、
前記挿入ガイド体が前記ヘッド部の内部から側面の外表面に前記エアーを噴き出しつつ、前記挿入ガイド体を前記シュリンクフィルム内に挿入してゆき、前記シュリンクフィルムを膨らませつつ前記被装填物に対向させる装填準備手段と、
前記挿入ガイド体が前記エアーを噴き出しつつ、前記挿入ガイド体および前記被装填物を前記台紙付きシュリンクフィルム包装体に対して移動させ、前記被装填物が前記シュリンクフィルム内の所定位置に来るまで牽引または押し込む装填手段を備えた台紙付きシュリンクフィルム包装体への自動装填装置。
【請求項２】
（削除）
【請求項３】
（削除）
【請求項４】
前記挿入ガイド体が、前記ヘッド部の先端に設けられ前記被装填物を吸着できる被装填物吸着部を備え、
前記装填準備手段において、先端の前記被装填物吸着部が前記シュリンクフィルム内を抜け出て、対向する前記被装填物に当接して前記被装填物を吸看し、
前記装填手段において、前記被装填物吸着部が前記被装填物を吸着して一体化したまま前記移動が行われることを特徴とする請求項１に記載の台紙付きシュリンクフィルム包装体への自動装填装置。
【請求項５】
前記被装填物吸着部がエアー吸引機構を備え、
前記装填手段において、前記被装填物が前記シュリンクフィルム内の所定位置に来るまでは前記エアー吸引機構が稼働して前記被装填物を吸着し、前記所定位置に来たら前記エアー吸引機構が停止して前記被装填物を解放するよう制御されることを特徴とする請求項４に記載の台紙付きシュリンクフィルム包装体への自動装填装置。
【請求項６】
前記被装填物を前記装填方向に沿って前記シュリンクフィルム内に押し込む押し出し手段を備え、
前記装填手段において、前記挿入ガイドは前記スライダー装置により移動し、前記被装填物は前記押し出し手段により移動し、両者が同期した動きであり、前記押し出し手段により前記被装填物を前記シュリンクフィルム内の前記所定位置に来るまで押し出すことを特徴とする請求項１、４または５のいずれかに記載の台紙付きシュリンクフィルム包装体への自動装填装置。
【請求項７】
前記載置装置において前記装填方向に直列に並んだ前記被装填物と前記台紙付きシュリンクフィルム包装体の間隔が、前記挿入ガイド体の前記ヘッド部の前記装填方向の長さよりも短いことを特徴とする請求項１、４、５または６のいずれかに記載の台紙付きシュリンクフィルム包装体への自動装填装置。
【請求項８】
前記挿入ガイド体の先端が、先端に向けて先細りした形状であることを特徴とする請求項１、４、５、６または７のいずれかに記載の台紙付きシュリンクフィルム包装体への自動装填装置。
【請求項９】
前記台紙付きシュリンクフィルム包装体の前記シュリンクフィルムに対してアクセスできる昇降機構を備え、前記台紙付きシュリンクフィルム包装体の前記シュリンクフィルムの開口が開くよう開口上面をエアー吸引しつつ上方に支持するシュリンクフィルム吸着部を備え、
前記シュリンクフィルム吸着部が、前記装填準備手段に先立ち、前記昇降機構によりエアー吸着口を前記シュリンクフィルムの開口にアクセスさせて前記開口上面をエアー吸引したのち上方に移動し、前記挿入ガイド体の先端が挿入できる程度に前記シュリンクフィルムの開口が開くよう支持し、
前記装填準備手段において、前記挿入ガイド体が前記シュリンクフィルムの開口内に入ると前記シュリンクフィルム吸着部の前記エアー吸引を停止させて前記シュリンクフィルムを解放することを特徴とする請求項１、４、５、６、７または８のいずれかに記載の台紙付きシュリンクフィルム包装体への自動装填装置。
【請求項１０】
被装填物の外径より大きな内径のシュリンクフィルムが設けられた台紙付きシュリンクフィルム包装体に対して前記被装填物を装填する台紙付きシュリンクフィルム包装体への自動装填方法であって、
前記台紙付きシュリンクフィルム包装体に対して前記被装填物を装填方向に沿って直列に並ぶよう配置し、
前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、前記挿入ガイド体を前記台紙付きシュリンクフィルム包装体に対して前記装填方向の逆側に並べ、前記挿入ガイド体を前記台紙付きシュリンクフィルム包装体に対してスライド運動させるスライダー装置を用いて、
前記挿入ガイド体が前記ヘッド部の内部から側面に前記エアーを噴き出しつつ、前記挿入ガイド体を前記シュリンクフィルム内に挿入してゆき、前記シュリンクフィルムを膨らませつつ前記被装填物に対向させ、
前記挿入ガイド体が前記エアーを噴き出しつつ、前記挿入ガイド体および前記被装填物を前記台紙付きシュリンクフィルム包装体に対して移動させ、前記被装填物が前記シュリンクフィルム内の所定位置に来るまで牽引または押し込むことを特徴とする台紙付きシュリンクフィルム包装体への自動装填方法。
【請求項１１】
（削除）
【請求項１２】
（削除）
【請求項１３】
被装填物の外径より大きな内径のシュリンクフィルムが設けられた台紙付きシュリンクフィルム包装体に前記被装填物を装填する台紙付きシュリンクフィルム包装体への自動装填装置であって、
前記台紙付きシュリンクフィルム包装体に対して前記被装填物を装填方向に沿って直列に並ぶよう配置する載置装置と、
前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、
前記台紙付きシュリンクフィルム包装体に対して前記挿入ガイド体を前記装填方向の逆側に直列に並べ、前記台紙付きシュリンクフィルム包装体を前記挿入ガイド体に対してスライド運動させるスライダー装置と、
前記挿入ガイド体が前記ヘッド部の内部から側面に前記エアーを噴き出しつつ、前記挿入ガイド体を前記シュリンクフィルム内に挿入してゆき、前記シュリンクフィルムを膨らませつつ前記被装填物に対向させる装填準備手段と、
前記台紙付きシュリンクフィルム包装体を前記挿入ガイド体および前記被装填物に対して移動させ、前記被装填物が前記シュリンクフィルム内の所定位置に来るまで牽引する装填手段と、
前記挿入ガイド体が、前記ヘッド部の先端に設けられ前記被装填物を吸着できる被装填物吸着部を備え、
前記装填準備手段において、前記挿入ガイド体が前記エアーを噴き出しつつ、先端の前記被装填物吸着部が前記シュリンクフィルム内を抜け出て、対向する前記被装填物に当接して前記被装填物を吸着し、
前記装填手段において、前記被装填物吸着部が前記被装填物を吸着して一体化したまま前記台紙付きシュリンクフィルム包装体の移動が行われることを特徴とする台紙付きシュリンクフィルム包装体への自動装填装置。
【手続補正２】
【補正対象書類名】明細書
【補正対象項目名】０００４
【補正方法】変更
【補正の内容】
【０００４】
と、台紙付きシュリンクフィルム包装体を用いた吊り下げ展示において見栄えを阻害してしまう場合もあり得る。
［０００９］
上記課題に鑑み、本発明は、被装填物の外径に対してわずかなマージンのみの内径を備えたシュリンクフィルムが取り付けられた台紙付きシュリンクフィルム包装体に対して、折れや曲がりが生じることなく正確に、当該被装填物を自動装填できる台紙付きシュリンクフィルム包装体への自動装填装置を提供することを目的とする。
課題を解決するための手段
［００１０］
上記課題を解決するために、本発明は以下の構成を備える。なお、以下に記載の構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
［００１１］
本発明にかかる台紙付きシュリンクフィルム包装体への自動装填装置は、被装填物の外径より大きな内径のシュリンクフィルムが設けられた台紙付きシュリンクフィルム包装体に前記被装填物を装填する台紙付きシュリンクフィルム包装体への自動装填装置であって、前記台紙付きシュリンクフィルム包装体に対して前記被装填物を装填方向に沿って直列に並ぶよう配置する載置装置と、前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、前記台紙付きシュリンクフィルム包装体に対して前記挿入ガイド体を前記装填方向の逆側に直列に並べ、前記挿入ガイド体を前記台紙付きシュリンクフィルム包装体に対してスライド運動させるスライダー装置と、前記挿入ガイド体が前記ヘッド部の内部から側面の外表面に前記エアーを噴き出しつつ、前記挿入ガイド体を前記シュリンクフィルム内に挿入してゆき、前記シュリンクフィルムを膨らませつつ前記被装填物に対向させる装填
【手続補正３】
【補正対象書類名】明細書
【補正対象項目名】０００５
【補正方法】変更
【補正の内容】
【０００５】
準備手段と、前記挿入ガイド体が前記エアーを噴き出しつつ、前記挿入ガイド体および前記被装填物を前記台紙付きシュリンクフィルム包装体に対して移動させ、前記被装填物が前記シュリンクフィルム内の所定位置に来るまで牽引または押し込む装填手段を備えたものである。
［００１２］
上記構成において、上記した装填手段の移動としては、台紙付きシュリンクフィルム包装体を固定して、挿入ガイド体と被装填物を装填方向に沿って移動させるものがある。
また、装填手段の移動として、挿入ガイド体と被装填物を固定して、台紙付きシュリンクフィルム包装体を装填方向とは逆に移動させる本発明にかかる台紙付きシュリンクフィルム包装体への自動装填装置は、被装填物の外径より大きな内径のシュリンクフィルムが設けられた台紙付きシュリンクフィルム包装体に前記被装填物を装填する台紙付きシュリンクフィルム包装体への自動装填装置であって、前記台紙付きシュリンクフィルム包装体に対して前記被装填物を装填方向に沿って直列に並ぶよう配置する載置装置と、前記シュリンクフィルムの内径よりも小さな外径のヘッド部と、前記ヘッド部の内部から外表面に向けてエアーを噴き出すエアー噴き出し口またはエアー噴き出し溝を少なくとも１つ備えた挿入ガイド体と、前記台紙付きシュリンクフィルム包装体に対して前記挿入ガイド体を前記装填方向の逆側に直列に並べ、前記台紙付きシュリンクフィルム包装体を前記挿入ガイド体に対してスライド運動させるスライダー装置と、前記挿入ガイド体が前記ヘッド部の内部から側面に前記エアーを噴き出しつつ、前記挿入ガイド体を前記シュリンクフィルム内に挿入してゆき、前記シュリンクフィルムを膨らませつつ前記被装填物に対向させる装填準備手段と、前記台紙付きシュリンクフィルム包装体を前記挿入ガイド体および前記被装填物に対して移動させ、前記被装填物が前記シュリンクフィルム内の所定位置に来るまで牽引する装填手段と、前記挿入ガイド体が、前記ヘッド部の先端に設けられ前記被装填物を吸着できる被装填物吸着部を備えており、前記装填準備手段において、前記挿入ガイド体が前記エアーを噴き出しつつ、先端の前記被装填物吸着部が前記シュリンクフィルム内を抜け出て、対向する前記被装填物に当接して前記被装填物を吸着し、前記装填手段において、前記被装填物吸着部が前記被装填物を吸着して一体化したまま前記台紙付きシュリンクフィルム包装体の移動が行われることを特徴とするものである。
［００１３］
上記構成により、挿入ガイド体の少なくとも一部がシュリンクフィルム内に入れば、エアー噴き出し口またはエアー噴き出し溝から噴き出されるエアーが、シュリンクフィルムと挿入ガイド体との隙間に流れ、あたかも挿入ガイド体の外表面にエアーの衣をまとったような状態となり、気圧によってシュリンクフィルムが略円筒形にピンと張った状態になり、被装填物を容易に引き入れることができる。
折れ曲がったりヨレが生じたりしやすい開口端においても、内部からエアーが外方へ噴き出すのでシュリンクフィルムの開口端までしっかりと略円筒形にピンと張った状態になる。特に、被装填物が挿入ガイド体に牽引または押し出されて開口端に近づくと、シュリンクフィルムの開口端から溢れ出るエアーが流れ出る箇所がシュリンクフィルムと被装填物との隙間しかなくなるため、より一層、シュリンクフィルムの開口端までしっかりと略円筒形にピンと張った状態になる。
［００１４］
次に、上記構成において、挿入ガイド体が、ヘッド部の先端に設けられ被装填物を吸着できる被装填物吸着部を備え、上記した装填準備手段において、先端の被装填物吸着部がシュリンクフィルム内を抜け出て、対向する被装填物に当接して被装填物を吸着しておき、上記した装填手段において、被装
【手続補正４】
【補正対象書類名】明細書
【補正対象項目名】０００６
【補正方法】変更
【補正の内容】
【０００６】
填物吸着部が被装填物を吸着して一体化したまま移動が行われる構成とすることができる。
さらに、被装填物吸着部がエアー吸引機構を備えたものであることが好ましい。エアー吸引機構であれば、エアー吸引のオンオフにより、非装着物の吸引、解放が自在にでき、装填手段において、被装填物がシュリンクフィルム内の所定位置に来るまではエアー吸引機構が稼働して被装填物を吸着し、所定位置に来たらエアー吸引機構が停止して被装填物を解放するよう制御することが容易にできる。
［００１５］
上記構成の装填準備手段において、挿入ガイド体がシュリンクフィルム内に挿入されてゆき、挿入ガイド体の先端がシュリンクフィルムの先端から抜け出て被装填物に到達した状態において、挿入ガイド体の少なくとも一部がシュリンクフィルムの内部に残っている必要がある。そこで、載置装置において装填方向に直列に並んだ被装填物と台紙付きシュリンクフィルム包装体の間隔が、挿入ガイド体のヘッド部の装填方向の長さよりも短いものとすることができる。
上記構成により、挿入ガイド体の先端がシュリンクフィルムの先端から抜け出て被装填物に到達しても、挿入ガイド体がシュリンクフィルム内から抜け出ずに少なくとも挿入ガイド体の一部がシュリンクフィルム内に残っているので、シュリンクフィルムがヨレたり折れたりすることがないので、挿入ガイド体がシュリンクフィルム内で引っかかることなくスムーズに戻ってゆくことができる。
［００１６］
次に、装填手段の別構成として、被装填物を装填方向に沿ってシュリンクフィルム内に押し込む押し出し手段を備え、装填手段において、挿入ガイドはスライダー装置により移動し、被装填物は押し出し手段により移動し、両者が同期した動きであり、押し出し手段により被装填物をシュリンクフィルム内の所定位置に来るまで押し出す構成とすることができる。
上記構成により、装填準備手段において、シュリンクフィルムの内部に挿入された挿入ガイド体がシュリンクフィルムを膨らませておき、装填手段に
【手続補正５】
【補正対象書類名】明細書
【補正対象項目名】０００８
【補正方法】変更
【補正の内容】
【０００８】
なお、装填準備手段において、挿入ガイド体がシュリンクフィルムの開口内に入るとシュリンクフィルム吸着部のエアー吸引を停止させてシュリンクフィルムを解放すれば、挿入ガイド体の被装填物の牽引または押し込みの邪魔にならない。
［００１９］
次に、台紙付きシュリンクフィルム包装体に対して、被装填物を自動的に装填する台紙付きシュリンクフィルム包装体の自動装填方法は、被装填物の外径より大きな内径のシュリンクフィルムが設けられた台紙付きシュリンクフィルム包装体に対して前記被装填物を装填する台紙付きシュリンクフィルム包装体への自動装填方法であり、シュリンクフィルムの内径よりも小さな外径のヘッド部と、ヘッド部の内部から外表面に向けてエアーを噴き出すエアー噴き出し口またはエアー噴き出し溝を少なくとも１つ備えた挿入ガイド体と、当該挿入ガイド体を台紙付きシュリンクフィルム包装体に対して装填方向に沿ってスライド運動させるスライダー装置を用いて行う。
［００２０］
以下の手順で自動装填を行う。
まず、被装填物と台紙付きシュリンクフィルム包装体を、被装填物の台紙付きシュリンクフィルム包装体への装填方向に沿って直列に並ぶよう配置する。
［００２１］
次に、装填準備段階として、挿入ガイド体がヘッド部の内部から側面にエアーを噴き出しつつ、挿入ガイド体をシュリンクフィルム内に挿入してゆき、シュリンクフィルムを膨らませつつ前記被装填物に対向させる。
［００２２］
次に、装填段階として、前記挿入ガイド体が前記エアーを噴き出しつつ、前記挿入ガイド体および前記被装填物を前記台紙付きシュリンクフィルム包装体に対して移動させ、前記被装填物が前記シュリンクフィルム内の所定位置に来るまで牽引または押し込む。
【手続補正６】
【補正対象書類名】明細書
【補正対象項目名】０００９
【補正方法】変更
【補正の内容】
【０００９】
また、装填段階の移動としては、挿入ガイド体と被装填物を固定して、台紙付きシュリンクフィルム包装体を装填方向とは逆に移動させるものがある。
発明の効果
［００２３］
本発明によれば、台紙付きシュリンクフィルム包装体への自動装填装置を用いることにより、挿入ガイド体のエアー噴き出し口から噴き出されるエアーが、あたかも挿入ガイド体の側面の外表面にエアーの衣をまとったような状態となり、挿入ガイド体の少なくとも一部がシュリンクフィルム内に入れば、気圧によってシュリンクフィルムを略円筒形にピンと張った状態になり、被装填物を容易に引き入れることができる。
折れ曲がったりヨレが生じたりしやすい開口端においても、エアーが噴き出すのでシュリンクフィルムの開口端までしっかりと略円筒形にピンと張った状態になる。特に、被装填物が挿入ガイド体に牽引されて開口端に近づくと、シュリンクフィルムの開口端から溢れ出るエアーが流れ出る箇所がシュリンクフィルムと被装填物との隙間しかなくなるため、より一層、シュリンクフィルムの開口端までしっかりと略円筒形にピンと張った状態を維持できる。
ここで、挿入ガイド体、台紙付きシュリンクフィルム包装体、被装填物を相対的に移動してゆけば、被装填物を台紙付きシュリンクフィルム包装体に容易に装填することができる。
図面の簡単な説明
［００２４］
［図１］実施例１にかかる台紙付きシュリンクフィルム包装体への自動装填装置１００の構成例を示す図である。
［図２］挿入ガイド体１２０のエアー噴き出し口１２２から空気が供給される様子を示す図である。
［図３］本発明の台紙付きシュリンクフィルム包装体への自動装填装置１００の動作の流れを示す図（その１）である。
［図４］本発明の台紙付きシュリンクフィルム包装体への自動装填装置１００の
【国際調査報告】
2019098160.tif 000026
2019098160.tif 000027
2019098160.tif 000028
2019098160.tif 000029